(57)【特許請求の範囲】
【請求項１】
病変に関する所見文を分解した複数の語句の一部を入力語句として選択入力させるための病変記述テンプレート、および病変記述テンプレートの追加を指示するための追加用ＧＵＩをディスプレイに表示させる表示制御手段と、
各種病変記述テンプレートの描画データを記憶する第一記憶手段と、
追加用ＧＵＩを選択させるための操作入力手段とを備え、
前記表示制御手段は、前記操作入力手段により追加用ＧＵＩが選択されたときに、選択指示に応じた病変記述テンプレートの描画データを前記第一記憶手段から読み出し、病変記述テンプレートを追加した画面を表示させ、
さらに、前記病変記述テンプレートは、病変の部位、大きさ、形状を記述するための第一記述領域と、病変の様態を記述するための第二記述領域とを含み、
前記表示制御手段は、第一記述領域の新規追加を指示するための領域追加用ＧＵＩをディスプレイに表示させ、前記操作入力手段により領域追加用ＧＵＩが選択されたときに、第一記述領域を追加した病変記述テンプレートの描画データを前記第一記憶手段から読み出し、第一記述領域を追加した病変記述テンプレートの画面を表示させることを特徴とする医用レポート作成支援装置。
【請求項２】
前記表示制御手段は、病変記述テンプレートの全体の新規追加を指示する新規追加用ＧＵＩをディスプレイに表示させ、
前記操作入力手段により新規追加用ＧＵＩが選択されたときに、何も入力されていない新規の病変記述テンプレートの描画データを前記第一記憶手段から読み出し、新規の病変記述テンプレートを追加した画面を表示させることを特徴とする請求項１に記載の医用レポート作成支援装置。
【請求項３】
前記表示制御手段は、入力状態をコピーして病変記述テンプレートの全体を追加する指示をするコピー用ＧＵＩをディスプレイに表示させ、
病変記述テンプレートの入力状態のデータを記憶する第二記憶手段を備え、
前記表示制御手段は、前記第二記憶手段から入力状態のデータを読み出し、入力状態を再現した病変記述テンプレートを追加した画面を表示させることを特徴とする請求項１または２に記載の医用レポート作成支援装置。
【請求項４】
前記表示制御手段は、追加した病変記述テンプレートをタブ形式で表示させることを特徴とする請求項２または３に記載の医用レポート作成支援装置。
【請求項５】
前記表示制御手段は、追加した第一記述領域または病変記述テンプレートを削除するための削除用ＧＵＩをさらに表示させることを特徴とする請求項１ないし４のいずれかに記載の医用レポート作成支援装置。
【請求項６】
病変に関する所見文を分解した複数の語句の一部を入力語句として選択入力させるための病変記述テンプレート、および病変記述テンプレートの追加を指示するための追加用ＧＵＩを表示制御手段によりディスプレイに表示させる第一表示ステップと、
操作入力手段により追加用ＧＵＩが選択されたときに、各種病変記述テンプレートの描画データを記憶する記憶手段から、選択指示に応じた病変記述テンプレートの描画データを読み出し、病変記述テンプレートを追加した画面を表示制御手段により表示させる第二表示ステップとを備え、
さらに、前記病変記述テンプレートは、病変の部位、大きさ、形状を記述するための第一記述領域と、病変の様態を記述するための第二記述領域とを含み、
第一記述領域の新規追加を指示するための領域追加用ＧＵＩを表示制御手段によりディスプレイに表示させる第三表示ステップと、
操作入力手段により領域追加用ＧＵＩが選択されたときに、第一記述領域を追加した病変記述テンプレートの描画データを前記記憶手段から読み出し、第一記述領域を追加した病変記述テンプレートの画面を表示制御手段により表示させる第四表示ステップとを備えることを特徴とする医用レポート作成支援方法。
【請求項７】
病変に関する所見文を分解した複数の語句の一部を入力語句として選択入力させるための病変記述テンプレート、および病変記述テンプレートの追加を指示するための追加用ＧＵＩをディスプレイに表示させる第一表示制御機能と、
操作入力手段により追加用ＧＵＩが選択されたときに、各種病変記述テンプレートの描画データを記憶する記憶手段から、選択指示に応じた病変記述テンプレートの描画データを読み出させ、病変記述テンプレートを追加した画面を表示させる第二表示制御機能とを、コンピュータに実現させ、
さらに、前記病変記述テンプレートは、病変の部位、大きさ、形状を記述するための第一記述領域と、病変の様態を記述するための第二記述領域とを含み、
第一記述領域の新規追加を指示するための領域追加用ＧＵＩをディスプレイに表示させる第三表示制御機能と、
操作入力手段により領域追加用ＧＵＩが選択されたときに、第一記述領域を追加した病変記述テンプレートの描画データを前記記憶手段から読み出し、第一記述領域を追加した病変記述テンプレートの画面を表示させる第四表示制御機能とを、コンピュータに実現させることを特徴とする医用レポート作成支援プログラム
【発明の詳細な説明】
【技術分野】
【０００１】
本発明は、複数の語句から所望の語句を選択させ、これを元に文を作成する医用レポート作成支援装置、医用レポート作成支援方法、並びに医用レポート作成支援プログラムに関する。
【背景技術】
【０００２】
最近の医療現場には、カルテや医用レポート等の医用文書を電子データとして扱い、医用文書の作成や管理を容易ならしめ、医用レポートを作成する読影医等の医師の負担を減らすための様々なコンピュータシステムが導入されつつある（特許文献１〜３参照）。
【０００３】
特許文献１は、医用レポートの所見文に使用される複数の語句を登録した辞書を用い、テンプレート入力形式で所見文を作成している。テンプレート式操作ツールのボタンを機械的に選択入力すれば所見文が作成されるため、読影医の負担軽減に役立つ。
【０００４】
特許文献２には、電子カルテの入力を簡素化するため、電子カルテの診療内容の入力を定型化したシート毎に複数のタブを設定し、タブの追加・コピーを行うことが記載されている。特許文献３には、電子カルテの患者の病歴、薬物アレルギーの項目を追加するための追加ボタンを設け、追加ボタンのクリックに応じて項目をポップアップ表示して選択させる態様が記載されている。
【先行技術文献】
【特許文献】
【０００５】
【特許文献１】特開２００９−２７１６２０号公報
【特許文献２】特開２００８−１７６５９６号公報
【特許文献３】特開２００２−２０３０４５号公報
【発明の概要】
【発明が解決しようとする課題】
【０００６】
医用レポートの所見文を作成する際に読影医にとって面倒な作業の一つは、多発性病変の記述である。多発性病変には様態が全く異なるものと一部異なるもの、あるいは様態は略同じであるが部位や大きさが異なるものがあり、病変毎に所見文を記述しなければならず、各病変の所見文を一から入力しようとすると多大な労力が掛かる。
【０００７】
特許文献１に記載の発明は、テンプレート式操作ツールで読影医の負担軽減を図っているが、多発性病変の所見文入力については一切言及していない。特許文献２、３に記載の発明も同様に、タブの追加・コピーや追加ボタンで操作性を改善しているが、多発性病変の所見文入力に関する記載はない。そのうえ、特許文献２、３は電子カルテに関する発明であり、医用レポートの所見文作成を支援するものではない。
【０００８】
本発明は、上記課題に鑑みてなされたもので、その目的は、病変に関する所見文記述の円滑化、迅速化を図ることにある。
【課題を解決するための手段】
【０００９】
上記目的を達成するために、本発明の医用レポート作成支援装置は、病変に関する所見文を分解した複数の語句の一部を入力語句として選択入力させるための病変記述テンプレート、および病変記述テンプレートの追加を指示するための追加用ＧＵＩをディスプレイに表示させる表示制御手段と、各種病変記述テンプレートの描画データを記憶する第一記憶手段と、追加用ＧＵＩを選択させるための操作入力手段とを備え、前記表示制御手段は、前記操作入力手段により追加用ＧＵＩが選択されたときに、選択指示に応じた病変記述テンプレートの描画データを前記第一記憶手段から読み出し、病変記述テンプレートを追加した画面を表示させることを特徴とする。
【００１０】
追加用ＧＵＩは、病変記述テンプレートの全体の新規追加を指示するものである。あるいは、入力状態をコピーして病変記述テンプレートの全体を追加する指示をするものであってもよい。後者の場合、病変記述テンプレートの入力状態のデータを記憶する第二記憶手段を備え、前記表示制御手段は、前記第二記憶手段から入力状態のデータを読み出し、入力状態を再現した病変記述テンプレートを追加した画面を表示させる。
【００１１】
前記表示制御手段は、追加した病変記述テンプレートをタブ形式で表示させる。
【００１２】
病変記述テンプレートは複数の記述領域に分れており、追加用ＧＵＩは、複数の記述領域のうちの一部の記述領域の新規追加を指示するものである。この場合、記述領域は、病変の部位、大きさを記述するための第一記述領域と、病変の様態を記述するための第二記述領域とを含み、第一記述領域が新規追加可能である。
【００１３】
前記表示制御手段は、追加した病変記述テンプレートを削除するための削除用ＧＵＩをさらに表示させる。
【００１４】
本発明の医用レポート作成支援方法は、病変に関する所見文を分解した複数の語句の一部を入力語句として選択入力させるための病変記述テンプレート、および病変記述テンプレートの追加を指示するための追加用ＧＵＩを表示制御手段によりディスプレイに表示させる第一表示ステップと、操作入力手段により追加用ＧＵＩが選択されたときに、各種病変記述テンプレートの描画データを記憶する記憶手段から、選択指示に応じた病変記述テンプレートの描画データを読み出し、病変記述テンプレートを追加した画面を表示制御手段により表示させる第二表示ステップとを備えることを特徴とする。
【００１５】
本発明の医用レポート作成支援プログラムは、病変に関する所見文を分解した複数の語句の一部を入力語句として選択入力させるための病変記述テンプレート、および病変記述テンプレートの追加を指示するための追加用ＧＵＩをディスプレイに表示させる第一表示制御機能と、操作入力手段により追加用ＧＵＩが選択されたときに、各種病変記述テンプレートの描画データを記憶する記憶手段から、選択指示に応じた病変記述テンプレートの描画データを読み出させ、病変記述テンプレートを追加した画面を表示させる第二表示制御機能とを、コンピュータに実現させることを特徴とする。
【発明の効果】
【００１６】
本発明によれば、病変記述テンプレートの追加を指示するための追加用ＧＵＩを設け、追加用ＧＵＩの選択指示に応じて病変記述テンプレートを追加するので、病変記述の円滑化、迅速化を図ることができる。
【図面の簡単な説明】
【００１７】
【図１】医療情報システムの構成図である。
【図２】各端末およびサーバを構成するコンピュータの概略を示す構成図である。
【図３】レポート作成端末の概略構成、およびレポート編集画面を示す図である。
【図４】病変記述テンプレートを示す図である。
【図５】病変記述テンプレートの新規追加・コピー処理の概略を示す説明図である。
【図６】病変記述テンプレートを新規追加した場合の表示形態を示す図である。
【図７】病変記述テンプレートをコピーした場合の表示形態を示す図である。
【図８】レポート作成処理の流れを示すフローチャートである。
【図９】病変記述テンプレートの新規追加・コピー処理の流れを示すフローチャートである。
【図１０】病変記述テンプレートの一部を新規追加する例を示す図である。
【発明を実施するための形態】
【００１８】
図１において、医療情報システム２は、病院等の医療施設に構築され、診療科１０に設置される診療科端末１１、放射線検査科（以下、単に検査科という）１２に設置されるレポート作成端末１３、データベース（以下、ＤＢと略す）サーバ１４、およびこれらを通信可能に接続するネットワーク１５を備える。ネットワーク１５は、例えば、院内に敷設されたＬＡＮ（Local Area Network）である。
【００１９】
診療科端末１１は、検査や読影を依頼する診療科１０の医師（以下、依頼医という）によって操作される。診療科端末１１は、カルテ１６の閲覧や入力の他、検査科１２に対して検査を依頼するためのオーダを発行する際に利用される。診療科端末１１は、検査科１２から提供される検査画像１７やレポート１８を表示して、依頼医の閲覧に供する。
【００２０】
レポート作成端末１３は、読影を専門とする検査科１２の医師（以下、読影医という）によって操作される。レポート作成端末１３は、読影医がオーダを確認したり、レポート１８を作成したりするときに利用される。レポート作成端末１３は、画像表示画面やレポート編集画面４４（図３参照）を表示して、レポート１８の作成を支援する。
【００２１】
ＤＢサーバ１４には、カルテＤＢ１９、画像ＤＢ２０、レポートＤＢ２１等の複数のＤＢが構築されている。カルテＤＢ１９は、患者毎のカルテ１６のデータ等を格納する。画像ＤＢ２０は、ＣＲ装置、ＣＴ装置、ＭＲＩ装置といった検査科１２のモダリティ２２によって撮影された検査画像１７のデータを格納する。レポートＤＢ２１は、レポート作成端末１３によって作成されたレポート１８のデータを格納する。
【００２２】
ＤＢサーバ１４は、ネットワーク１５を通じて、モダリティ２２から検査画像１７のデータを受信して、受信した検査画像１７のデータを画像ＤＢ２０に格納する。つまり、ＤＢサーバ１４は、いわゆるＰＡＣＳ（Picture Archiving and Communication Systems）サーバとして機能し、モダリティ２２とともにＰＡＣＳを構成する。
【００２３】
検査画像１７のデータは、個々の検査画像１７を識別するための画像ＩＤを有する。検査画像１７のデータは、例えば、ＤＩＣＯＭ（Digital Imaging and Communication in Medicine）に準拠したファイル形式で、画像ＤＢ２０に格納される。検査画像１７のファイルには、患者ＩＤ、検査ＩＤ、検査日、検査種等の項目を含む付帯情報を記録したＤＩＣＯＭタグが付与される。画像ＤＢ２０に格納された検査画像１７のデータは、ＤＩＣＯＭタグの各種項目を検索キーとして、検索が可能である。
【００２４】
ＤＢサーバ１４は、診療科端末１１およびカルテＤＢ１９とともにカルテシステムを構成する。また、ＤＢサーバ１４は、レポート作成端末１３、画像ＤＢ２０、並びにレポートＤＢ２１とともにレポート作成支援システムを構成する。レポート１８のデータは、検査画像１７のデータと同様、検査ＩＤ、患者ＩＤ、患者名等の検索キーによって検索が可能である。なお、本例では、各ＤＢ１９〜２１を一つのＤＢサーバ１４に構築した例で説明しているが、各ＤＢ１９〜２１を別々のＤＢサーバに構築してもよい。
【００２５】
診療科端末１１が発行するオーダは、患者ＩＤ、患者名、依頼日、依頼元、検査種（ＣＴやＭＲＩ等）、検査目的、読影の要否等の情報を記録する各種項目を有する。依頼元の項目には、内科、脳外科等の依頼医の所属、氏名、医師ＩＤといった情報が記録される。検査目的の項目には、治療中の病巣に対する治療効果を判定する治療効果判定、転移巣の有無を調べる転移検索等の情報が記録される。
【００２６】
診療科端末１１が発行したオーダは、検査科１２に設置されたオーダ受付端末（図示せず）に送信されて、検査科１２に受け付けられる。オーダ受付端末は、受信したオーダに検査ＩＤを付与して、オーダのデータを管理する。検査ＩＤは、受付完了通知とともにオーダ受付端末から診療科端末１１に送信される。検査科１２のスタッフ（検査技師）は、オーダ受付端末で受信したオーダに基づいて、モダリティ２２による撮影を行う。
【００２７】
読影が必要な場合（オーダの読影の要否の項目が要の場合）には、検査ＩＤが付与されたオーダが、オーダ受付端末からレポート作成端末１３に送信される。読影医は、レポート作成端末１３を介してオーダを確認し、画像ＤＢ２０から読影の対象となる検査画像１７のデータを読み出す。そして、読み出した検査画像１７の読影結果をレポート１８にまとめる。
【００２８】
レポート１８の作成が完了すると、読影医は、オーダ発行元の診療科端末１１に対して、レポート作成端末１３を通じて作成完了通知を送信する。作成完了通知には、検査画像１７やレポート１８が格納される各ＤＢ２０、２１内のアドレスが含まれている。依頼医は、診療科端末１１を通じて作成完了通知に含まれるアドレスにアクセスして、検査画像１７やレポート１８を閲覧する。
【００２９】
各端末１１、１３およびＤＢサーバ１４は、それぞれ、パーソナルコンピュータ、サーバ用コンピュータ、ワークステーションといったコンピュータをベースに、オペレーティングシステム等の制御プログラムや、クライアントプログラム又はサーバプログラムといったアプリケーションプログラムをインストールして構成される。
【００３０】
図２において、各端末１１、１３およびＤＢサーバ１４を構成するコンピュータは、基本的な構成は略同じであり、それぞれ、ＣＰＵ３０、メモリ３１、ストレージデバイス３２、ＬＡＮポート３３、およびコンソール３４を備えている。これらはデータバス３５を介して相互接続されている。
【００３１】
ストレージデバイス３２は、例えば、ＨＤＤ（Hard Disk Drive）である。ストレージデバイス３２には、制御プログラムやアプリケーションプログラム（以下、ＡＰという）３６が格納される。また、レポート作成端末１３のストレージデバイス３２には、用語選択ボタン５１の選択状態に応じて所見文を作成するための所見文作成用定義（図示せず）や描画データ７０（図５参照）が格納される。描画データ７０は、ディスプレイ３７に表示する各種操作画面のＧＵＩ（Graphical User Interface）の種類、配置、大きさ、色等を規定したものである。すなわちストレージデバイス３２は第一記憶手段に相当する。
【００３２】
さらに、ＤＢサーバ１４には、プログラムを格納するＨＤＤとは別に、ＤＢ用のストレージデバイス３２として、例えば、ＨＤＤを複数台連装したディスクアレイが設けられる。ディスクアレイは、ＤＢサーバ１４の本体に内蔵されるものでもよいし、本体とは別に設けられ、本体にケーブルやネットワークを通じて接続されるものでもよい。
【００３３】
メモリ３１は、ＣＰＵ３０が処理を実行するためのワークメモリである。ＣＰＵ３０は、ストレージデバイス３２に格納された制御プログラムをメモリ３１へロードして、プログラムに従った処理を実行することにより、コンピュータの各部を統括的に制御する。メモリ３１には、用語選択ボタン５１（図３参照）の選択状態を表す一時記憶データ７１（図５参照）が一時記憶される。すなわちメモリ３１は第二記憶手段に相当する。
【００３４】
ＬＡＮポート３３は、ネットワーク１５との間の伝送制御を行うネットワークインタフェースである。コンソール３４は、ディスプレイ３７と、キーボードやマウス等の入力デバイス３８とからなる。
【００３５】
診療科端末１１には、ＡＰ３６として、カルテ１６の閲覧や編集を行うカルテ用ソフトウエア、検査画像１７やレポート１８の閲覧を行うビューアソフトウエアといったクライアントプログラムがインストールされる。クライアントプログラムが起動されると、診療科端末１１のディスプレイ３７には、ＧＵＩによる操作画面が表示される。操作画面には、カルテＤＢ１９、画像ＤＢ２０、レポートＤＢ２１から、それぞれ読み出されたカルテ１６、検査画像１７、レポート１８を表示する表示画面が含まれる。
【００３６】
診療科端末１１には、入力デバイス３８を通じて、カルテ１６の入力・編集の指示や、オーダの入力・発行の指示といった操作指示が入力される。入力されたカルテ１６やオーダのデータは、カルテＤＢ１９に格納される。
【００３７】
レポート作成端末１３には、ＡＰ３６として、レポート作成支援を行うレポート編集用のクライアントプログラムがインストールされている。レポート作成端末１３は、レポート編集用のクライアントプログラムによって、検査画像１７の表示処理と、レポート１８の編集処理とを行う。ＤＢサーバ１４には、ＡＰ３６として、クライアントである各端末１１、１３からの要求に応じて処理を実行し、処理結果を応答するサーバプログラムがインストールされている。
【００３８】
図３において、レポート作成端末１３のＣＰＵ３０は、レポート編集用のクライアントプログラムを起動すると、コンソール制御部（表示制御手段に相当）４０、ＤＢアクセス部４１、編集処理部４２、およびオーダ取得部４３として機能する。オーダ取得部４３は、オーダ受付端末からネットワーク１５を介してオーダを取得する。取得したオーダは、例えば、レポート作成端末１３のストレージデバイス３２に設けられたオーダテーブル（図示せず）に登録される。
【００３９】
レポート作成端末１３は、ＣＰＵ３０が設けられた端末本体に、二台のディスプレイ３７ａ、３７ｂを接続した構成である。一台のディスプレイ３７ａには、検査画像１７の観察用に使用される画像表示画面が出力される。もう一台のディスプレイ３７ｂには、レポート１８の作成に使用されるレポート編集画面４４が出力される。
【００４０】
画像表示画面およびレポート編集画面４４は、ＧＵＩによる操作画面を構成する。コンソール制御部４０は、入力デバイス３８の操作に応じた描画データ７０をストレージデバイス３２から読み出し、読み出した描画データ７０に基づいてこれらの操作画面を各ディスプレイ３７ａ、３７ｂに出力する。コンソール制御部４０は、操作画面を通じて、入力デバイス３８からの操作指示の入力を受け付ける。
【００４１】
画像表示画面およびレポート編集画面４４は、連動して起動する。レポート編集画面４４から、読影対象の検査画像１７が含まれる検査ＩＤが入力されると、コンソール制御部４０は、ＤＢアクセス部４１を通じて、検査ＩＤに対応する検査画像１７のデータを画像ＤＢ２０から取得する。コンソール制御部４０は、取得した検査画像１７をディスプレイ３７ａに出力する際に、画像表示画面を起動する。
【００４２】
画像表示画面には、超音波診断装置で撮影された超音波画像、あるいはＣＲ装置で撮影された放射線による透視画像や、ＣＴ装置やＭＲＩ装置で撮影された断層画像、断層画像に基づいて生成される三次元画像といった各種の検査画像１７が表示される。画像表示画面は、一画面に六コマの断層画像を配列して表示するというように、複数の検査画像１７を同時に表示することが可能である。画像表示画面には、操作ボタン、リストボックス、アイコンといった、ＧＵＩを構成する各種の操作ツールが設けられている。こうした操作ツールを通じて、入力デバイス３８からの各種の操作指示が入力される。
【００４３】
レポート編集画面４４には、基本情報表示領域４５、所見文入力領域４６、用語選択入力領域４７、および操作ボタン領域４８が設けられている。これら各領域は、ＧＵＩを構成する各種の操作ツールである。こうした操作ツールを通じて、入力デバイス３８からの各種の操作指示が入力される。操作指示には、レポートＤＢ２１からレポート１８のデータを読み出す指示、レポートＤＢ２１へレポート１８のデータを保存する指示、所見文入力領域４６を選択してアクティブ（入力が可能な状態）にする指示等が含まれる。
【００４４】
基本情報表示領域４５には、患者名（「富永士郎」）、検査ＩＤ（「ＣＴ０８０３」）、検査画像１７の撮影日（「１０／７／３０（２０１０年７月３０日）」）といった基本情報が表示される。これらの基本情報は、オーダから読み出される。
【００４５】
所見文入力領域４６には、読影医が検査画像１７を観察して認識した、病変の状態等の観察記録、すなわち所見を表す文（以下、所見文という）が入力される。図においては、所見文入力領域４６は一つだけ表示されているが、所見文入力領域４６は追加することも可能である。所見文入力領域４６を追加する際には、検査目的が複数ある場合（例えば、治療効果判定と転移検索等）に、検査目的毎に所見を分けて入力するといった使い方がされる。また、研修医と指導医、一次読影を行う読影医と二次読影を行う読影医等、複数の読影医が所見をそれぞれ入力するという使い方も可能である。
【００４６】
用語選択入力領域４７は、マウスのクリック操作によって、所見文入力領域４６へ所見文を入力するための操作ツールであり、テンプレート式操作ツールとも呼ばれる。用語選択入力領域４７は、「肝臓」、「胆管」といった臓器別の大分類パネル４９と、小分類パネル５０とを有する。小分類パネル５０は、「肝臓の形態」、「腫瘤性病変」といった、臓器毎に所見として記入されるべき項目を類型化した所見項目を有する。各パネル４９、５０は、タブによって切り替え選択が可能である。大分類パネル４９として選択された臓器名は、所見文入力領域４６の横に表示される。図３では、大分類パネル４９として「肝臓」が、小分類パネル５０として「肝臓の形態」がそれぞれ選択されている。
【００４７】
小分類パネル５０には、さらに、複数の用語選択ボタン５１が設けられている。用語選択ボタン５１は、所見項目をさらに細分化した、「辺縁」、「表面」、「腫大」、「萎縮」等々の観察項目毎に、横並びに配列されている。例えば、「辺縁」の観察項目には、「鋭」、「やや鈍」、「鈍」、「表面」の観察項目には、「平滑」、「やや凹凸」、「凹凸」といった入力語句がある。「腫大」および「萎縮」の観察項目には、さらに「腫大程度」、「腫大部位」、「萎縮程度」、「萎縮部位」という従属項目がある。以下の説明では、特に区別する必要がない限り、観察項目と従属項目をまとめて観察項目という。用語選択ボタン５１の用語には、各観察項目で使用される頻度が高い医療用語が使用されている。また、用語選択ボタン５１の用語は全て、観察項目の程度や形状を表し、観察項目を修飾する語句である。
【００４８】
用語選択ボタン５１は、各観察項目について一つだけ選択することが可能である。このため、例えば「辺縁−鋭」が選択されていて、「辺縁−鈍」を選択し直した場合は、「辺縁−鋭」の選択が自動的に解除される。
【００４９】
所見文入力領域４６をアクティブにした状態で、所望の用語選択ボタン５１にポインタ５２を合わせて、マウスでクリック操作を行うと、選択された用語に基づいた所見文が所見文入力領域４６に表示される。所見文入力領域４６に入力された所見文には、キーボードを操作することで、修正加筆することも可能である。
【００５０】
所見文は、一個以上の用語選択ボタン５１を選択したときに表示される。所見文は、用語選択ボタン５１が追加選択される毎に表示が更新される。また、用語選択ボタン５１の選択状態を表すメモリ３１の一時記憶データ７１も、用語選択ボタン５１が追加選択される毎に更新される。追加選択は、例えば、二つの観察項目の用語選択ボタン５１が選択されていて、三つ目の観察項目の用語選択ボタン５１を選択する場合と、同一の観察項目で用語選択ボタン５１の選択をし直す場合とを含む。
【００５１】
図３では、用語選択ボタン５１として、斜線で示すように「辺縁−鈍」、「表面−凹凸」、「腫大程度−軽度」、「腫大部位−左葉」、「萎縮程度−高度」、「萎縮部位−右葉」、「実質均一度−不均一」、「実質濃度−低い」がそれぞれ選択されている。また、所見文として、「肝は辺縁鈍、表面凹凸、左葉の腫大は軽度、右葉の萎縮は高度、実質は不均一で低濃度です。」が所見文入力領域４６に表示された状態を図示している。
【００５２】
操作ボタン領域４８には、各種操作ボタン５３〜５６が設けられている。所見追加ボタン５３は、所見文入力領域４６を追加するためのものである。所見追加ボタン５３にポインタ５２を合わせてマウスをクリック操作すると、レポート編集画面４４に所見文入力領域４６が追加表示される。
【００５３】
所見文入力領域４６に入力された所見文のデータ（以下、所見データという）は、個々を識別する所見ＩＤを有する。所見ＩＤは、検査画像１７やレポート１８と所見文との対応をとるためのものであり、所見文入力領域４６の追加された順に付された番号を含む。Ｎ個目（Ｎは１以上の自然数）の所見文入力領域４６に入力される所見文には、「Ｆ−Ｎ」の所見ＩＤが割り当てられる。図３では、一個目の所見文入力領域４６に所見文を入力する際を示しており、所見文入力領域４６の上部に所見ＩＤの「Ｆ−１」が表示されている。
【００５４】
終了ボタン５４は、レポート１８の編集を終了するためのものである。終了ボタン５４が選択されると、レポート１８のデータが確定保存される。確定保存されたレポート１８は、不正な改ざんを防止するために、編集が禁止される。中断ボタン５５は、レポート１８の作成を一時中断するためのものである。中断ボタン５５が選択されると、作成途中のレポート１８のデータが一時保存される。キャンセルボタン５６は、レポート編集画面４４を閉じる際に選択される。
【００５５】
ＤＢアクセス部４１は、コンソール制御部４０や編集処理部４２からの指令に基づいて、ＤＢサーバ１４に対する処理要求の送信と処理結果の受信とを行う。画像ＤＢ２０に対する処理要求には、検査ＩＤや画像ＩＤといった情報を検索キーとして、検査画像１７を検索するための検索要求がある。レポートＤＢ２１に対する処理要求には、作成したレポート１８のデータを格納するための格納要求と、作成したレポート１８のデータや、作成途中のレポート１８のデータの検索要求とがある。
【００５６】
ＤＢアクセス部４１は、格納要求の対象となるデータを、編集処理部４２から受け取り、ＤＢサーバ１４へ送信する。また、検索要求の対象となるデータを、ＤＢサーバ１４から受信して、コンソール制御部４０に引き渡す。
【００５７】
ＤＢサーバ１４のＣＰＵ３０は、サーバプログラムを実行することにより、検査画像１７、およびレポート１８のデータの格納処理部および検索処理部として機能する。格納処理部は、レポート作成端末１３やモダリティ２２といったクライアントからの各データの格納要求に応じて、各ＤＢ２０、２１へのデータの格納処理を実行する。検索処理部は、診療科端末１１、レポート作成端末１３からの各データの配信要求に応答して、要求されたデータを各ＤＢ２０、２１から検索して、検索したデータを要求元へ配信する。
【００５８】
編集処理部４２は、レポート編集画面４４の所見文入力領域４６に入力された所見データ、および各パネル４９、５０、用語選択ボタン５１の選択状態を、コンソール制御部４０を通じて受け付ける。編集処理部４２は、受け付けた所見データを、所見文入力領域４６毎に区別してブロック化する。
【００５９】
編集処理部４２は、ブロック化した所見データのそれぞれに「Ｆ−１」、「Ｆ−２」等の所見ＩＤを付加して、これらをレポート１８のデータに記録する。編集処理部４２は、所見データの他に、オーダから読み出された検査ＩＤ、患者ＩＤ、患者名といった情報を、レポート１８のデータに付加する。
【００６０】
編集処理部４２は、所見ＩＤに加えて、各所見データに対して、その所見文を入力した読影医を識別するための医師ＩＤを付加する。医師ＩＤは、レポート作成端末１３の起動時のユーザ認証の際等に読影医によって入力される。所見データは、所見ＩＤや医師ＩＤによって検索することが可能である。
【００６１】
編集処理部４２は、ストレージデバイス３２に格納された所見文作成用定義に基づいて、各パネル４９、５０、用語選択ボタン５１の選択状態に応じた所見文を作成する。所見文作成用定義は、臓器の項目を頂点として、所見項目、観察項目、観察項目毎の語句の順にデータを階層構造でもち、各観察項目の節の所見文中の位置、および各観察項目の節内の語句の並び順を規定する。所見文作成用定義は、例えば、観察項目毎に所見文を主部および述部に分類し、主部および述部を本体部および本体部を修飾する修飾部に分類して、所見文を構成する語句をそれぞれの部に振り分けたものである。所見文作成用定義は、所見文の途中であるか末尾であるかによる使用位置、および肯定形であるか否定形であるかによる使用形式によって述部の本体部がさらに分類されている。図３では、観察項目「腫大程度」、「萎縮程度」において、用語選択ボタン５１で「なし」を選択した場合のみ使用形式が否定である。それ以外は全て肯定を表す。
【００６２】
観察項目「腫大」を例に挙げると、主部の修飾部には従属項目「腫大部位」の入力語句である「肝全体の」、「右葉の」、「左葉の」、主部の本体部には観察項目の「腫大は」、述部の修飾語には従属項目「腫大程度」の入力語句である「軽度」、「中等度」、「高度」、述部の本体部には使用位置が途中、使用形式が肯定である「、」、使用位置が末尾、使用形式が肯定である「です。」、使用位置が途中、使用形式が否定である「なく、」、使用位置が末尾、使用形式が否定である「ありません。」がそれぞれ登録されている。
【００６３】
用語選択ボタン５１のいずれかが選択された場合、編集処理部４２は、まず、各パネル４９、５０の選択状態に対応する、所見文作成用定義の臓器の項目、所見項目の階層を辿る。そして、選択された用語選択ボタン５１に対応する観察項目（以下、アクティブな観察項目という）の語句を、所見文作成用定義から読み出す。
【００６４】
続いて、編集処理部４２は、アクティブな観察項目の述部の本体部を決定する。編集処理部４２は、アクティブな観察項目に関する節の使用位置、および使用形式を調べる。編集処理部４２は、アクティブな観察項目と同じ階層レベル（兄弟関係）にある観察項目がアクティブであるか否かを、所見文作成用定義の登録順に見ていく。使用位置、および使用形式の判定対象となるアクティブな観察項目の後に、別のアクティブな観察項目がある場合は、使用位置は「途中」、そうでなければ「末尾」となる。
【００６５】
選択された用語選択ボタン５１に対応する語句の使用形式が「否定」であった場合、すなわち図３の例で「腫大程度−なし」、「萎縮程度−なし」が選択された場合、編集処理部４２は、「腫大」、「萎縮」の使用形式を「否定」と断じる。それ以外は全て「肯定」と断じる。編集処理部４２は、以上のようにして所見文作成用定義から読み出した各部の語句を、主部の修飾部、本体部、述部の修飾部、本体部の順（所見文作成用定義の並び（登録）順）に従って連結し、所見文を作成する。
【００６６】
図３の各パネル４９、５０、用語選択ボタン５１の選択状態を例に挙げて、編集処理部４２の所見文の作成処理を説明する。各パネル４９、５０として「肝臓」、「肝臓の形態」が選択されているので、編集処理部４２は、所見文作成用定義の「肝臓」、その下層の「肝臓の形態」を辿る。そして、アクティブな観察項目（この場合は「辺縁」〜「実質」まで全て）の主部の本体部、および主部と述部の修飾部等を所見文作成用定義から読み出す。
【００６７】
この場合、全ての観察項目がアクティブであるため、観察項目「辺縁」〜「実質均一度」までは、使用位置が「途中」である。また、「腫大程度−なし」、「萎縮程度−なし」が選択されていないため、観察項目の使用形式は全て「肯定」である。従って、編集処理部４２は、観察項目「実質濃度」以外は述部の本体部として使用位置が途中、使用形式が肯定の語句を所見文作成用定義から選択的に読み出す。このようにして読み出した各種語句を、予め定められた順序に従って連結すると、図３および段落［００６２］に記載した所見文となる。
【００６８】
他の例を挙げると、「辺縁−鈍」のみが選択された場合、所見文は「辺縁鈍です。」となる。また、「腫大程度−なし」のみが選択された場合は、所見文は「腫大はありません。」、「萎縮程度−中等度」、「萎縮部位−肝全体」のみが選択された場合は、所見文は「肝全体の萎縮は中等度です。」となる。「実質−不均一」のみが選択された場合は、所見文は「実質は不均一です。」である。アクティブな観察項目が一つである場合は、所見文は単文となり、アクティブな観察項目が複数である場合は、所見文は各観察項目に関する節からなる重文となる。
【００６９】
図４は、小分類パネル５０のタブを「腫瘤性病変」に切り替えたときの用語選択入力領域４７を示す。以下、「腫瘤性病変」の用語選択入力領域４７を特に病変記述テンプレート６０と呼ぶ。
【００７０】
病変記述テンプレート６０には、図３に示す例と同様に、「形状」、「内部エコー」等の複数の観察項目毎に、「不整形」、「低エコー」等の用語選択ボタン５１が配されている。観察項目「部位」、「大きさ」、「浸潤先」には用語選択ボタン５１は配されておらず、代わりにキーボード入力を受け付ける入力ボックス６１が設けられている。入力ボックス６１は、観察項目「個数」の右端にも設けられている。入力ボックス６１には、「右葉」、「左葉」、「Ｓ１」〜「Ｓ８」等の腫瘤性病変の場所を示す語句、「１５」、「１０」、「３」等の大きさ、箇所を表す数値がキーボード操作により入力可能である。観察項目「個数」の右端の入力ボックス６１は、検査画像１７に写る病変が多数あり、各病変の部位、大きさ、様態が全く同じ場合に使用される。この病変記述テンプレート６０の所見文作成用定義は、キーボード入力される部分を空欄として登録している。
【００７１】
図４では、用語選択ボタン５１として、斜線で示すように「形状−不整形」、「内部エコー−低エコー」、「エコーパターン−混合性」、「均一性−不均一」、「後方エコー−不変」、「血流信号−僅か」、「石灰化−なし」がそれぞれ選択されている。また、「部位−Ｓ２」、「大きさ−３０ｍｍ×２０ｍｍ」が入力ボックス６１にキーボード入力されている。用語選択ボタン５１の選択の仕方や所見文の作成手順は図３の例と同様であるため説明を省略する。
【００７２】
病変記述テンプレート６０の上部には、プルダウンメニュー６２と病変追加ボタン６３が設けられている。プルダウンメニュー６２は、病変記述テンプレート６０の新規追加、またはコピーを選択指定するためのものである。プルダウンメニュー６２の横の逆三角の印をクリックすると、新規、コピーの選択肢がプルダウン表示される。病変追加ボタン６３は、プルダウンメニュー６２で選択指定された新規追加、またはコピーの指示信号を入力する際に操作される。
【００７３】
プルダウンメニュー６２で新規が指定され、病変追加ボタン６３がクリックされると、図５に示すように、新規追加指示信号がコンソール制御部４０に送信される。コンソール制御部４０は、新規追加指示信号を受けて、ストレージデバイス３２の描画データ７０から病変記述テンプレート６０の描画データを読み出す。この描画データは、用語選択ボタン５１が選択されておらず、入力ボックス６１に何も入力されていないプレーンな状態の病変記述テンプレート６０を表すものである。
【００７４】
コンソール制御部４０は、読み出した描画データ７０に基づいて、ディスプレイ３７ｂの画面の表示を図４から図６に示す状態に切り替える。図６において、コンソール制御部４０は、小分類パネル５０の「腫瘤性病変」のタブの後に、新規追加した病変記述テンプレート６０のタブ「＃２」（新規追加タブ７５）を表示させる。
【００７５】
一方、プルダウンメニュー６２でコピーが指定され、病変追加ボタン６３がクリックされると、図５に示すように今度はコピー指示信号がコンソール制御部４０に送信される。コンソール制御部４０は、新規追加指示信号を受けたときと同様に、プレーンな状態の病変記述テンプレート６０を表す描画データ７０をストレージデバイス３２から読み出す。また、コンソール制御部４０は、コピー元である「腫瘤性病変」のタブの用語選択ボタン５１の選択状態を表す一時記憶データ７１をメモリ３１から読み出す。
【００７６】
コンソール制御部４０は、一時記憶データ７１を用いて用語選択ボタン５１の選択状態をプレーンな病変記述テンプレート６０に再現し、ディスプレイ３７ｂの画面の表示を図４から図７に示す状態に切り替える。図７に示すタブ「＃２」（コピー追加タブ７６）は、用語選択ボタン５１が選択されていないプレーンな状態の新規追加タブ７５とは異なり、「腫瘤性病変」のタブの用語選択ボタン５１の選択状態がそのまま保持されている。図７では図４に示す病変記述テンプレート６０と同じ選択状態である。
【００７７】
各追加タブ７５、７６の名称「＃２」は、元々ある「腫瘤性病変」のタブの二個目という意味である。さらに病変記述テンプレート６０を追加・コピーした場合は、「＃３」、「＃４」、・・・の各追加タブ７５、７６が「腫瘤性病変」のタブの後に順次追加されていく。新規追加タブ７５の用語選択ボタン５１を選択入力した後、これをコピーしたり、コピー追加タブ７６をさらにコピーしたりすることも可能である。
【００７８】
新規追加タブ７５またはコピー追加タブ７６を追加した場合、病変記述テンプレート６０の病変追加ボタン６３の横には削除ボタン６４が生成される。削除ボタン６４は、新規追加タブ７５またはコピー追加タブ７６を削除する際にクリックされる。
【００７９】
以下、上記構成による作用について、図８および図９に示すフローチャートを参照して説明する。依頼医は、診療科端末１１を使用してオーダを発行する。レポート作成端末１３は、診療科端末１１から発行されたオーダを、検査科１２のオーダ受付端末を経由して受信する。
【００８０】
読影医は、レポート作成端末１３にアクセスしてオーダを確認し、レポート１８の作成を開始する。レポート編集画面４４がディスプレイ３７ｂに表示されると、これと連動して画像表示画面がディスプレイ３７ａに表示される。読影医は、画像表示画面で検査画像１７を観察しながら、レポート編集画面４４の所見文入力領域４６に、それぞれ臓器別の所見文を入力する。
【００８１】
所見文の入力は、用語選択ボタン５１を選択することにより行われる。図８において、用語選択ボタン５１が選択されると（ステップ（以下、Ｓと略す）１０でｙｅｓ）、コンソール制御部４０から編集処理部４２に、各パネル４９、５０、用語選択ボタン５１の選択状態が通知される。また、用語選択ボタン５１の選択状態は、コンソール制御部４０を通じてメモリ３１に送られ、メモリ３１に一時記憶データ７１が記憶される（Ｓ１１）。
【００８２】
次いで、編集処理部４２によって、各パネル４９、５０、用語選択ボタン５１の選択状態を元にした所見文作成用定義の検索が編集処理部４２で実行され、各観察項目の語句が所見文作成用定義から読み出される（Ｓ１２）。
【００８３】
続いて、各観察項目に関する節の使用位置、使用形式が編集処理部４２で判定される（Ｓ１２）。具体的には、判定対象の観察項目と同じ階層レベルで、且つ判定対象の観察項目の後の観察項目がアクティブであった場合、使用位置が「途中」と判定され、そうでなければ「末尾」と判定される。また、選択された用語選択ボタン５１に対応する入力語句の使用形式が「否定」であった場合、使用形式が「否定」と判定される。それ以外は全て「肯定」と判定される。この使用位置、使用形式の判定結果に基づいた述部の本体部の語句が所見文作成用定義から読み出される。
【００８４】
そして、読み出された各種語句が所見文作成用定義の並び順に連結され、所見文が作成される（Ｓ１３）。作成された所見文は、編集処理部４２からコンソール制御部４０に引き渡され、コンソール制御部４０の制御の下、所見文入力領域４６に表示される（Ｓ１４）。このように、読影医は、用語選択ボタン５１を選択しながら、所見文の入力を行う。これら一連の処理は、用語選択ボタン５１が追加選択される度に繰り返し実行される。
【００８５】
読影医は、所見文の入力を終えると、終了ボタン５４を選択する（Ｓ１５でｙｅｓ）。終了ボタン５４が選択されると、レポート１８のデータの格納要求がＤＢアクセス部４１からＤＢサーバ１４に送信される。レポート作成端末１３から格納要求を受信すると、ＤＢサーバ１４では、格納処理部によって、レポート１８のデータの格納処理が実行される。レポート１８のデータは、レポートＤＢ２１に格納される。以上をもって、一回のレポート１８の作成処理を終了する。
【００８６】
レポート１８の作成が完了すると、レポート作成端末１３から、依頼医の診療科端末１１に対して、作成完了通知が送信される。依頼医は、診療科端末１１を通じてレポートＤＢ２１にアクセスして、作成完了通知に含まれるレポート１８のアドレスに基づいて、レポート１８を読み出す。診療科端末１１のディスプレイ３７には、レポート表示画面と、レポート１８に関連する検査画像１７を表示する画像表示画面が出力される。依頼医は、これらの画面を閲覧して、レポート１８の内容を確認する。
【００８７】
図９において、検査画像１７に写る病変が多数あり、一方は充実性、他方は嚢胞性の腫瘤性病変等、各病変の様態が全く異なると認められる場合、読影医は、病変記述テンプレート６０のプルダウンメニュー６２の新規を選択し、病変追加ボタン６３をクリックする（Ｓ２０、Ｓ２１でｙｅｓ）。これによりコンソール制御部４０に新規追加指示信号が送信され、ストレージデバイス３２の描画データ７０からプレーンな病変記述テンプレート６０の描画データが読み出される（Ｓ２２）。読み出されたプレーンな病変記述テンプレート６０の描画データは、コンソール制御部４０により新規追加タブ７５としてディスプレイ３７ｂの画面に表示される（Ｓ２３）。
【００８８】
一方、検査画像１７に写る多数の病変の様態が一部異なると認められる場合、読影医は、プルダウンメニュー６２のコピーを選択し、病変追加ボタン６３をクリックする（Ｓ２０、Ｓ２１でｎｏ）。これによりコンソール制御部４０にコピー追加指示信号が送信され、ストレージデバイス３２からプレーンな病変記述テンプレート６０の描画データ、およびメモリ３１からコピー元のタブの用語選択ボタン５１の選択状態を表す一時記憶データ７１がそれぞれ読み出される（Ｓ２４）。そして、コンソール制御部４０により、一時記憶データ７１に基づいて用語選択ボタン５１の選択状態が再現されたコピー追加タブ７６がディスプレイ３７ｂの画面に表示される（Ｓ２５）。
【００８９】
以上説明したように、本発明は、病変記述テンプレート６０の新規追加・コピーを指示するためのプルダウンメニュー６２および病変追加ボタン６３を備え、これらの操作に応じて各追加タブ７５、７６を表示させるので、テンプレート式操作ツールによる病変の所見文入力を円滑且つ迅速に行うことができる。
【００９０】
病変記述テンプレート６０の新規追加・コピーが選択可能であるため、各病変の様態が全く異なる場合は新規追加、一部異なる場合はコピーというように、それぞれの状況に適した選択をすることが可能である。特にコピーを利用した場合は、異なる様態の観察項目の用語選択ボタン５１を選択し直すだけで所見文の入力が可能となるため、一から入力する場合と比べて格段に入力時間を短縮することができる。
【００９１】
病変記述テンプレート６０をタブ形式で表示させるので、簡単な操作で病変記述テンプレート６０の表示切り替えができ、病変の所見文入力がより円滑になる。
【００９２】
上記実施形態では、コピー追加タブ７６を追加する際に用語選択ボタン５１の選択状態のみをコピーしているが、入力ボックス６１の入力内容をコピーしてもよい。また、病変記述テンプレート６０の全体を新規追加・コピーするのではなく、病変記述テンプレート６０の一部を新規追加・コピー可能に構成してもよい。例えば図８の上側に示すように、病変記述テンプレート６０のうち観察項目「部位」と「大きさ」（第一記述領域に相当）のみ追加可能とする追加ボタン８０を設ける。
【００９３】
追加ボタン８０がクリックされると、コンソール制御部４０は、観察項目「部位」と「大きさ」を元々の項目の下段に追加した描画データ７０をストレージデバイス３２から読み出し、下側に示すようにディスプレイ３７ｂに表示させる。追加された観察項目「部位」、「大きさ」（追加項目８１）には、上記実施形態の各追加タブ７５、７６と同様に削除ボタン８２が設けられ、観察項目「部位」、「大きさ」を自由に追加、削除することが可能である。
【００９４】
多発性病変では、主に部位、大きさが異なり、他の様態は略同じであることが多い。このため、図１０の例の如く、多発性病変の場合に複数入力が必要であると想定される一部の観察項目を追加可能とすれば、より病変の所見文入力の円滑化、迅速化に資することができる。なお、一部追加可能とする観察項目は、上記例の「部位」、「大きさ」に限らず、「形状」等でもよい。
【００９５】
病変記述テンプレートとしては、上記実施形態の「腫瘤性病変」に限らず、例えば脳内出血やくも膜下出血等の「出血性病変」の病変記述テンプレートに適用しても可である。
【００９６】
上記実施形態では、入力デバイスとして、キーボードやマウスを例に説明したが、入力デバイスとしてマイクを用いて、用語選択ボタン５１の選択を音声によって受け付けてもよい。
【００９７】
上記実施形態では、検査科１２で実施される検査を例示して説明したが、検査種はこれらに限定されるものではなく、ＰＥＴ（Positron Emission Tomography）検査、内視鏡検査等でもよい。要するに病変記述テンプレートを用いて病変の所見文を入力するものであれば、本発明を適用可能である。
【００９８】
上記実施形態では、本発明の医用レポート作成支援装置を構成する、レポート作成端末が一台の例で説明したが、レポート作成端末は複数台でもよい。また、レポート作成端末のストレージデバイスに描画データを格納する態様を例示したが、描画データの格納先は上記に限らず、ＤＢサーバに格納しておいてもよい。この場合、レポート作成端末のＤＢアクセス部がＤＢサーバにアクセスして、描画データの検索要求の送信とその検索結果の受信とを行う。
【００９９】
また、上記実施形態のように、クライアント（レポート作成端末）と、サーバ（ＤＢサーバ）とからなるクライアントサーバ型の情報システムの場合には、レポート編集用のクライアントプログラムは、専用のプログラムを使用してもよいし、ＨＴＴＰ（Hyper Text Transfer Protocol）といった、ＷＷＷ（World Wide Web）のプロトコルに対応した汎用的なブラウザを使用してもよい。
【０１００】
専用のプログラムを使用する場合には、レポート編集画面は、専用のプログラムで定義された画面データに基づいて生成される。汎用的なブラウザを使用する場合には、例えば、Ｗｅｂサーバにレポート編集画面のデータを格納しておき、クライアントはＷｅｂサーバにアクセスして、Ｗｅｂページの形式に加工されたレポート編集画面のデータをダウンロードする。クライアントのブラウザは、受信したＷｅｂページのソースコードを解釈してレポート編集画面を生成する。Ｗｅｂサーバは、ＤＢサーバ１４が兼用してもよいし、ＤＢサーバとは別のサーバでもよい。汎用的なブラウザを使用する場合には、ＷｅｂサーバのＣＰＵが、クライアントのＣＰＵと協働して、または単独で、編集処理部、コンソール制御部等を構成する。
【０１０１】
また、ＤＢが構築されるデータ格納装置としては、ＤＢサーバ以外でもよく、例えば、ＮＡＳ（Network Attached Storage）、ＳＡＮ（Storage Area Network）といったネットワークを介して接続するストレージデバイスを使用してもよい。このように、コンピュータシステムの物理構成は適宜変更が可能である。
【０１０２】
上記実施形態では、ネットワークとしてＬＡＮを例に説明しているが、診療科と検査科が複数の拠点に分散しているような場合には、ネットワークとしてＬＡＮとＷＡＮ（Wide Area Network）を組み合わせて使用してもよい。
【０１０３】
なお、上記実施形態で示したとおり、本発明は、プログラムの形態、さらにはプログラムを記憶する記憶媒体にもおよぶことはもちろんである。
【符号の説明】
【０１０４】
２  医療情報システム
１３  レポート作成端末
３０  ＣＰＵ
３１  メモリ
３２  ストレージデバイス
３４  コンソール
３６  アプリケーションプログラム（ＡＰ）
３７  ディスプレイ
３８  入力デバイス
４０  コンソール制御部
４４  レポート編集画面
４７  用語選択入力領域
５１  用語選択ボタン
６０  病変記述テンプレート
６２  プルダウンメニュー
６３  病変追加ボタン
６４、８２  削除ボタン
７０  描画データ
７１  一時記憶データ
７５  新規追加タブ
７６  コピー追加タブ
８０  追加ボタン
８１  追加項目
【図１】
0005562766.tif 000002
【図２】
0005562766.tif 000003
【図３】
0005562766.tif 000004
【図４】
0005562766.tif 000005
【図５】
0005562766.tif 000006
【図６】
0005562766.tif 000007
【図７】
0005562766.tif 000008
【図８】
0005562766.tif 000009
【図９】
0005562766.tif 000010
【図１０】
0005562766.tif 000011